(57)【要約】  本発明は、ハウジング（２，２６）を備えた観覧装置であって、ハウジング（２；２６）が前壁（３；３′；２１；２９）を有しており、前壁（３；３′；２１；２９）が、ハウジング（２；２６）内で後壁（４，４′，２２，３２，３３）の内面（９，９′，３４，５１）に配置可能または表示可能な展示対象物（１０，１６，２４）のための少なくとも１つの目視開口（８，８′，２３，２８）を有している形式のものと、この種の観覧装置を製作するための裁断片（２５）とに関する。この種の観覧装置（１，１′，２０，２７）に表示された面的な展示対象物（１０，１６，２４）が空間的な印象を呼び起こすことを達成するために、本発明は、観覧装置（１，１′，２０，２７）のハウジング（２，２６）の前壁（３，３′，２１，２９）の外面（１００）を観覧者（７）に向かって湾曲して形成することを提案する。表示したい展示対象物（１０，１６，２４）の空間的な印象は、付加的に観覧装置（１，１′，２７）のハウジング（２，２６）の後壁（４，３２，３３）が、観覧者（７）から離れるように湾曲した内面（９，９′，３４，５１）を有していると、さらに向上されることができる。
2007513367.tif 000002
【特許請求の範囲】
【請求項１】
ハウジング（２；２６）を備えた観覧装置であって、ハウジング（２；２６）が前壁（３；３′；２１；２９）を有しており、前壁（３；３′；２１；２９）が、ハウジング（２；２６）内で後壁（４；４′；２２；３２，３３）の内面（９；９′；３４；５１）に配置可能または表示可能な展示対象物（１０；１６；２４）のための少なくとも１つの目視開口（８；８′；２３；２８）を有している形式のものにおいて、ハウジング（２；２６）の前壁（３；３′；２１；２９）が、観覧者（７）に向かって湾曲した外面（１００）を有していることを特徴とする観覧装置。
【請求項２】
ハウジング（２；２６）の後壁（４；４′；２２；３２，３３）が、観覧者（７）から離れるように湾曲した内面（９；９′；３４；５１）を有している、請求項１記載の観覧装置。
【請求項３】
後壁（４；４′；２２；３２，３３）の内面（９；９′；３４；５１）の湾曲および前壁（３；３′；２１；２９）の外面（１００）の湾曲が、相応の面の側方の両縁部の間または前記面の下側の縁部と上側の縁部との間で経過している、請求項２記載の観覧装置。
【請求項４】
後壁の内面の湾曲および前壁の外面の湾曲が球冠状の経過を有している、請求項２記載の観覧装置。
【請求項５】
後壁（４；２２；３２，３３）が、その内面（９；３４）に相当する湾曲を有しており、前壁（３；２１；２９）が、その外面（１００）に相当する湾曲を有している、請求項２から４までのいずれか１項記載の観覧装置。
【請求項６】
ハウジング（２；２６）の後壁（４；３２，３３）および前壁（３；２９）が湾曲して形成されており、両者がその側方の縁部（５，６；３０′，３１′）に沿って直接接するようになっている、請求項５記載の観覧装置。
【請求項７】
展示対象物（１０；１６；２４）が、ハウジング（２；２６）内に配置可能な少なくとも１つの光源（１３）により照明可能である、請求項１から６までのいずれか１項記載の観覧装置。
【請求項８】
光源（１３）が目視開口（８；２３；２８）の下側に配置されている、請求項７記載の観覧装置。
【請求項９】
光源（１３）が、ハウジング（２；２６）の後壁（４；２２；３２，３３）に固定可能な電気的な光源である、請求項７または８記載の観覧装置。
【請求項１０】
電気的な光源（１３）がＬＥＤ素子である、請求項９記載の観覧装置。
【請求項１１】
後壁（４；２２；３２，３３）および／または前壁（３；２１；２９）の、光源（１３）を取り巻くかつ／または光源（１３）に対向して位置する内面が、反射面として形成されている、請求項１から１０までのいずれか１項記載の観覧装置。
【請求項１２】
展示対象物（１０）がその都度のハウジング（２）の後壁（４）の内面に固定可能であり、展示対象物（１０）の側方の縁部（１１）が、真っ直ぐに目視開口（８）を通して見ている観覧者（７）の視野（１２）の外側に位置しているようになっている、請求項１から１１までのいずれか１項記載の観覧装置。
【請求項１３】
展示対象物（１０；１６；２４）がその都度のハウジング（２；２６）の後壁（４；２２；３２，３３）の内面（９；３４；５１）に配置可能であり、展示対象物（１０；１６；２４）が少なくとも部分領域で内面（９；３４；５１）に接しないようになっている、請求項１から１２までのいずれか１項記載の観覧装置。
【請求項１４】
後壁（４；２２；３２，３３）の内面（９；３４；５１）が、交換モチーフの解離可能な固定のための少なくとも１つの固定エレメントを有している、請求項１から１３までのいずれか１項記載の観覧装置。
【請求項１５】
ハウジングの後壁（４）に、２つのスプール（１４，１５）を有する巻取り装置と、観覧者（７）の視野内に位置する透明な、後壁（４）の内面（９）の湾曲に従いながらも、内面（９）から間隔を置いているガイドプレート（１７）とが配置されており、巻取り装置に配置された帯状の展示対象物（１６）がガイドプレート（１７）と内面（９）との間を通過運動可能であるようになっている、請求項２から１４までのいずれか１項記載の観覧装置。
【請求項１６】
ハウジング（２；２６）が板紙材料、プラスチックまたは金属薄板から成っている、請求項１から１５までのいずれか１項記載の観覧装置。
【請求項１７】
ハウジング（２；２６）が、波付けされた板紙材料から成っている、請求項１６記載の観覧装置。
【請求項１８】
観覧装置（１；２０；２７）が、その規定通りの使用のために、運動可能に、特に摺動可能、回転可能かつ／または走行可能に構成されている、請求項１から１７までのいずれか１項記載の観覧装置。
【請求項１９】
前壁（３；２１；２９）の目視開口（８；２３；２８）が透明なカバーにより保護されている、請求項１から１８までのいずれか１項記載の観覧装置。
【請求項２０】
ハウジングの前壁（２１）が円筒形に形成されており、周囲にわたって分配配置された複数の目視開口（２３）を有している、請求項１から１９までのいずれか１項記載の観覧装置。
【請求項２１】
目視開口（２３）が、同じ高さ上を巡っているか、上り勾配を成しているか、または下り勾配を成している１つの周囲線上に位置している、請求項２０記載の観覧装置。
【請求項２２】
後壁（２２）がやはり円筒形に形成されている、請求項２０または２１記載の観覧装置。
【請求項２３】
後壁（２２）がその中央の長手方向軸線を中心に回転可能に支承されている、請求項２１記載の観覧装置。
【請求項２４】
後壁（４′）の内面（９′）の少なくとも部分領域がＬＣＤ画面（１０１）として形成されており、ＬＣＤ画面（１０１）上に相応の展示対象物が表示可能である、請求項２記載の観覧装置。
【請求項２５】
ＬＣＤ画面（１０１）の起動制御のために必要な電子回路（１０２）が、観覧装置（１′）の、ハウジング形に形成された後壁（４′）内に配置されている、請求項２４記載の観覧装置。
【請求項２６】
後壁の内面の少なくとも部分領域が画面により形成され、画面上に背面から展示対象物が投影可能である、請求項１または２記載の観覧装置。
【請求項２７】
展示対象物（１０）が配置されているまたは配置可能である後壁（４）が元来フラットであり、後壁（４）の前に配置され、展示対象物（１０）のための目視開口（８）を備えた前壁（３）もやはり元来フラットであり、前壁（３）および後壁（４）がフレキシブルな材料（紙、板紙、プラスチックシートまたは金属シート）から成っており、対向して位置する２つの側部に沿って互いに結合されており、前壁（３）および後壁（４）がその接続線で押圧されるとすぐに湾曲させられてハウジング（２）を形成するようになっている、請求項１から１９までのいずれか１項記載の観覧装置。
【請求項２８】
展示対象物（１０）が、ハウジング（２）内に配置された光源（１３）により照明可能であり、光源がスイッチを有しており、スイッチが、押圧される側部の領域に配置され、押圧により操作可能である、請求項２７記載の観覧装置。
【請求項２９】
請求項６記載の観覧装置を製作するための板紙裁断片において、裁断片（２５）が、目視開口（２５）を備えて前壁を形成する１つの第１の区分（２９）と、第１の区分（２９）の横側（３０，３１）に接続している２つの第２、第３の区分（３２，３３）とを有しており、前記区分の接続稜（３０′，３１′）が、板紙裁断片を折畳むための折畳み線を形成しており、第２、第３の区分（３２，３３）がハウジングの後壁を形成しており、第２の区分（３２）が、展示対象物を支持する内面（３４）を有しており、第３の区分（３３）が、第２の区分（３２）の固定および強化のために、第２の区分（３２）に摩擦力結合式に結合可能であることを特徴とする、観覧装置を製作するための板紙裁断片。
【請求項３０】
第１の区分（２９）の下側（３７）が折畳み線（３８）を介して第４の区分（３９）に接続されており、第４の区分（３９）が、完全に折畳み線（４２）により画定された卵形線状の領域（４３）を有しており、卵形線状の領域（４３）が、折畳まれた状態で、ハウジング（２６）の前面および背面の下側の縁部に対して若干奥まった、ハウジング（２６）の底領域を形成するようになっている、請求項２９記載の板紙裁断片。
【請求項３１】
第２の区分（３２）が上側で、折畳み線（４４）により画定された卵形線状の領域（４５）で終わっており、卵形線状の領域（４５）が、裁断片（２５）の折畳まれた状態で、ハウジング（２６）の天井領域を形成しており、天井領域（４５）が軽微に傾斜して後壁（３２，３３）から前壁（２９）に向かって上り勾配を成すようになっている、請求項２９または３０記載の板紙裁断片。
【請求項３２】
第２、第３、第４の区分（３２，３３，３９）にランプソケットのための開口（４６）が設けられており、開口（４６）が以下のように配置されている、すなわち裁断片（２５）の折畳まれた状態でランプソケットが少なくとも部分的に３つすべての開口（４６）を通して案内可能であり、ランプ側でナット部分に螺合可能であり、その結果、３つの区分（３２，３３，３９）がランプソケットにより保持されるように配置されている、請求項３０または３１記載の板紙裁断片。
【請求項３３】
第２の裁断片（５０）が設けられており、第２の裁断片（５０）がインサート部分として内側に、ハウジング（２６）の後壁（３２，３３）の手前に、その都度の展示対象物のためのキャリアとして配置可能である、請求項２９から３２までのいずれか１項記載の板紙裁断片。
【発明の詳細な説明】
【技術分野】
【０００１】
本発明は、ハウジングを備えた観覧装置（Ｂｅｔｒａｃｈｔｕｎｇｓｖｏｒｒｉｃｈｔｕｎｇ）であって、ハウジングが前壁を有しており、前壁が、ハウジング内で後壁の内面に配置可能または表示可能な展示対象物のための少なくとも１つの目視開口を有している形式のものに関する。本発明はさらに、この種の観覧装置を製作するための板紙裁断片（Ｋａｒｔｏｎｚｕｓｃｈｎｉｔｔ）に関する。
【０００２】
前記形式の観覧装置は例えばドイツ連邦共和国実用新案第２０１１２２２５号明細書から公知である。この公知の装置は実質的に、相対的に堅牢な３つのハウジング部分、すなわちスタンドとして役立つ、光源を備えた台座部分と、フレーム形の前側部分と、後側のハウジング部分とから構成されている。その際、個々のハウジング部分は有利には石、人造石または成形模造石から成っている。特にフラットに表示したいモチーフの空間的な印象を得るために、ドイツ連邦共和国実用新案第２０１１２２２５号明細書では既に、後側のハウジング部分の、観覧者に対面する内面に、ハウジング部分の背面に向かって方向付けられた湾曲を設けることが提案されている。
【０００３】
本発明の課題は、冒頭で述べた形式の観覧装置を改良して、表示したい展示対象物の空間的もしくは立体的な印象をドイツ連邦共和国実用新案第２０１１２２２５号明細書に関して択一的な手段により達成することができるようにすることである。さらに、本発明による観覧装置を製作するための板紙裁断片が開示されるべきである。
【０００４】
上記課題は本発明により観覧装置に関して、請求項１の特徴部に記載の特徴により解決され、裁断片に関して、請求項２７の特徴部に記載の特徴により解決される。本発明の別の特に有利な構成は従属請求項に開示されている。
【０００５】
本発明は実質的に、観覧装置のハウジングの前壁の外面を観覧者に向かって湾曲させて形成するというアイデアに基づいている。
【０００６】
表示したい展示対象物の空間的な印象をさらに向上するために、ドイツ連邦共和国実用新案第２０１１２２２５号明細書に既に提案されているように、観覧装置のハウジングの後壁も、観覧者から離れるように湾曲した内面を有していると、有利であることが判っている。
【０００７】
後壁の内面の湾曲および前壁の外面の湾曲は、前記面の側方の両縁部の間または下側の縁部と上側の縁部との間で経過していることができる。相応の湾曲はただし球冠形の経過を有していることもできる。
【０００８】
実質的に、内面および外面の具体的な湾曲経過は観覧者のその都度の立ち位置ならびに観覧装置に関するこの立ち位置の時間的な変化に依存している。例えば観覧者が装置に関して水平の観覧平面上または運動平面上で運動する（観覧者が装置を通り過ぎる）とき、内面および外面の湾曲が側方の縁部の間で経過していると有利である。これに対して観覧者が下から上にまたは上から下に運動する（エレベータ等による走行）とき、内面および外面の湾曲はやはり下から上に経過しているべきである。
【０００９】
ハウジングの内面および／または外面の湾曲の相応の配置により、例えば遊園地（乗り物、射的小屋など）のための驚くべき効果が達成されることが判っている。
【００１０】
相応の観覧装置を簡単に、例えば折畳み工程により製作するために、ハウジング壁、特につまり後壁および前壁を、≦２ｍｍの肉厚を有する薄壁の材料から製作することが有利であることが判っている。その結果、内面および外面の湾曲を製作するために、後壁全体および前壁全体は相応の湾曲を有している。
【００１１】
本発明の別の有利な構成では、ハウジングの後壁および前壁が湾曲して形成されており、両者がその側方の縁部に沿って直接接するようになっている。後壁および前壁の、この場合に生じる卵形線状に形成された底側の縁部領域はその際、同時に本発明による観覧装置の接地面として役立つ。
【００１２】
既に自体公知であるように、展示対象物は、ハウジングの内側に配置可能な少なくとも１つの光源により照明可能であるべきである。その際、大低の事例で、光源は目視開口の下側に配置されている。
【００１３】
光源として、低い電力（＜７．５Ｗ）の小さな電球が考慮される。特にＬＥＤ素子はその低い電力に基づいて有利であることが判っている。
【００１４】
後壁および／または前壁の、光源を取り巻くかつ／または光源に対向して位置する内面は、特にそれが観覧者の視野の外側に位置しているとき、反射面として形成されていることができる。
【００１５】
有利には、展示対象物がその都度のハウジングの後壁の内面に固定可能であり、展示対象物の側方の縁部が、真っ直ぐに目視開口を通して見ている観覧者の可視領域の外側に位置しているようになっているべきである。
【００１６】
展示対象物はフラットである必要はなく、レリーフ状に形成されていることもできる。このことは付加的に光／影効果につながり、立体的な印象を強化する。
【００１７】
面状の展示対象物は後壁に「貼り付け」られている必要はなく、その都度のハウジングの後壁の内面に、少なくとも部分領域で内面に接しないように配置可能であることができる。それというのも、そのような効果もよりインテンシブな知覚につながるからである。
【００１８】
後壁の内面は、交換モチーフ（Ｗｅｃｈｓｅｌｍｏｔｉｖ）の解離可能な固定のための少なくとも１つの固定エレメントを有していることもできる。
【００１９】
展示対象物はさらに帯状の対象物であることができ、帯状の対象物は巻取り装置のスプールに配置されており、別のスプールに巻返されることができる。巻取り装置のスプールは例えば後壁の左右に配置されている。その結果、一方のロールから他方のロールへの巻返しと、その都度両者の間に位置する帯区分の観覧とが可能である。帯状の対象物が後壁の湾曲に従うように、相応に成形された透明なガイドプレート（例えばプレキシグラス（Ｒ）から成るガイドプレート）が前置されており、ガイドプレートの背後を帯状の対象物が走行し、その際同時に保護されている。
【００２０】
本発明による観覧装置の別の有利な構成では、後壁の内面の部分領域がＬＣＤ画面として形成されており、ＬＣＤ画面上に展示対象物が表示可能である。その際、このＬＣＤ画面の起動制御のために必要な電子回路は有利には、観覧装置の、ハウジング形に形成された後壁内に配置されている。
【００２１】
本発明の別の有利な構成では、後壁の内面の部分領域が、（一般にはつやのない）画面により形成され、画面上に背面から展示対象物が投影可能である。
【００２２】
観覧装置の目視開口は透明なカバー（例えばシート、プレキシグラス（Ｒ）、ガラスまたは後方から照明されるとすぐに透視可能となる「スパイミラー」もしくは「マジックミラー」）により保護されていることができる。その際、カバーは（フィリグリ：ｆｉｌｉｇｒａｎ）印刷（文字または絵モチーフ）を有していることができる。このことはカバーを認識可能に前面に強調し、基準値とする。これにより空間的な印象は強化される。
【００２３】
本発明による観覧装置のハウジングは種々異なる材料（プラスチック、ＰＵ、プレキシグラス（Ｒ）、木、金属薄板、リサイクル材料）から製作されることができる。特に板紙産業が種々異なる使用目的のために提供しているような板紙材料、例えば種々異なる厚さ、色および構造の、場合によっては特に表面処理、例えばシーリング加工、コーティング加工、リフレクティング加工されたフラットな材料が有利であることが判っている。波付けされた板紙の使用時、可動の端部、例えばフラップ状に開閉可能な閉鎖装置を、隣接する部分の粗表面に対し固定する可能性が提供されている。
【００２４】
さらに、写真画像がつやのない紙上に光沢なしに使用されると、特に効果的であることが判っている。
【００２５】
本発明の別の有利な構成では、ハウジングの前壁が広告塔に類似した形で円筒形に形成されており、周囲にわたって分配配置された複数の目視開口を有している。
【００２６】
その際、目視開口は任意に、つまり規則的にまたは不規則的に周囲にわたって分配配置されていることができる。目視開口は、同じ高さで経過する周囲線に沿って配置されているか、または上り勾配を成し、再び下り勾配を成す周囲線に沿って配置されていることができる。もちろん、目視開口の配置は複数の周囲線またはその部分に沿って実施されることもできる。
【００２７】
本発明による観覧装置のハウジングの後壁も円筒形に構成されており、場合によってはその中央の長手方向軸線を中心に回転可能に形成されていることができる。
【００２８】
本発明のアイデアの別の構成は、観覧装置が可変に形成されている、すなわち前壁および後壁の湾曲が変更され得るようになっていることにある。このことは、観覧装置がカード状のジャケット（Ｈｕｅｌｌｅ）に他ならないフラットな状態（＝静止状態）を起点として、湾曲した状態（＝観覧状態）へと移行することができる。湾曲した状態は材料に応じて円筒形にまで拡大されることができる。この工程は可逆である。
【００２９】
前記実施形態は本発明により、展示対象物が配置されているまたは配置可能である後壁が元来フラットであり、後壁の前に配置され、展示対象物のための目視開口を備えた前壁もやはり元来フラットであり、前壁および後壁がフレキシブルな材料（紙、板紙、プラスチックシートまたは金属シート）から成っており、対向して位置する２つの側部に沿って互いに結合されており、前壁および後壁がその接続線で押圧されるとすぐに湾曲させられてハウジングを形成するようになっていることにより実現される。
【００３０】
有利にはその際、展示対象物が、ハウジング内に配置された光源により照明可能であり、光源がスイッチを有しており、スイッチが、押圧される側部の領域に配置されており、押圧により操作可能である。
【００３１】
その他の点では、そのような可変式の観覧装置の場合、前もって固定の形状を有する観覧装置に関して挙げたようなその他の特徴が実現されていることができる。最後に挙げた実施形態は特に広告ディスプレイ、グリーティングカード等としての使用のために適している。
【００３２】
本発明の別の詳細および利点は、以下に図面を参照しながら説明する実施例から得られる。
図１：本発明による観覧装置の第１の実施例の、図２にＩ−Ｉで示した断面線に沿った横断面図である。
図２：図１に示した観覧装置の正面図である。
図３：帯状の展示対象物のための巻取り装置を備えた本発明による観覧装置の第２の実施例の後壁の横断面図である。
図４：本発明による観覧装置の、広告塔の形式で構成された第３の実施例の横断面図である。
図５：ＬＣＤ画面が展示対象物を表示するために使用される本発明の第４の実施例の縦断面図である。
図６：折畳まれていない状態の、本発明による観覧装置を製作するための第１の板紙裁断片を示す図である。
図７および図８：図５に示した板紙裁断片の折畳み後に得られる観覧装置の前面および背面を示す図である。
図９：図５に示した裁断片から製作可能な観覧装置のための、インサート部分に該当する第２の裁断片を示す図である。
図１０：観覧者の手中で観覧状態にある可変式の観覧装置の斜視図である。
【００３３】
図１および図２には符号１が本発明による観覧装置に付与されている。本発明による観覧装置１はハウジング２、例えばプラスチックから成るハウジング２を有している。ハウジング２は湾曲した前壁３と湾曲した後壁４とを有している。前壁３と後壁４とは側方の縁部５，６に沿って互いに接続されている。観覧者７に向かって湾曲した前壁３は外面１００を有しており、例えば透明なカバー（図示せず）により保護されていることができる目視開口８を有している。
【００３４】
ハウジング２の後壁４は、観覧者７から離れるように湾曲した内面９を有している。内面９にはフラットな展示対象物１０（例えば写真）が交換可能に固定されている。展示対象物１０の側方の縁部１１は、真っ直ぐに目視開口８を通して見ている観覧者７の視野の外側に位置している。
【００３５】
展示対象物１０は、目視開口８の下側に配置され、ハウジング２の後壁４に固定される光源１３により照明可能である。
【００３６】
図３には、本発明による観覧装置の第２の実施例の、やはり符号４を付与した後壁が示されている。この観覧装置では、後壁４に、２つのスプール１４，１５から成る巻取り装置が配置されている。スプール１４，１５により、帯状の展示対象物１６は繰出し可能もしくは巻取り可能である。帯状の展示対象物１６はスプール１４，１５の間で透明なガイドプレート１７により案内される。
【００３７】
図４には、「リトファスゾイレ（Ｌｉｔｆａｓｓｓａｅｕｌｅ）」と呼ばれる広告塔として構成された観覧装置の横断面図が示されている。この装置は実質的に、中空円筒として形成された前壁２１と、中空円筒２１の内部に存在し、やはり円筒として形成された回転可能な後壁２２とから成っている。その際、前壁２１は、均等に周囲にわたって分配配置された４つの目視開口２３を有している。
【００３８】
後壁２２上には４つの（例えば交換可能な）展示対象物２４が固定されている。展示対象物２４は回転可能な後壁２２と共に目視開口２３を通過運動可能である。
【００３９】
本発明による観覧装置１′の、図５に示した実施形態では、後壁４′の内面９′の部分領域がＬＣＤ画面１０１として形成されている。ＬＣＤ画面１０１上には展示対象物が表示可能である。このＬＣＤ画面１０１の起動制御のために必要な電子回路１０２はその際、観覧装置１′の、ハウジング形に形成された後壁４′の内側に配置されている。前壁３′に設けられた目視開口８′は図示の実施例では透明なカバー１０３により閉鎖されている。
【００４０】
図６には、本発明による観覧装置２７のハウジング２６を製作するための、段ボールから成る符号２５を付与した板紙裁断片が見て取れる。ブランクとしての板紙裁断片２５は折畳まれた状態で実質的に、図１および図２に相当する形状（卵形線状の横断面）を有している。裁断片２５は、目視開口２８を備えた、観覧装置２７のハウジング２６の前壁を形成する第１の区分２９を有している。第１の区分の両横側３０，３１には、観覧装置２７の後壁を形成する第２、第３の区分３２，３３が接続している。その際、区分２９，３２の接続稜３０′および区分２９，３３の接続稜３１′は、板紙裁断片２５を折畳んで組立てるための折畳み線を形成する。
【００４１】
第２の区分３２は、展示対象物（図示せず）を支持する内面３４を有しており、第３の区分３３は第２の区分３２の強化および固定のために役立ち、第２の区分３２に２つの面ファスナ領域（Ｋｌｅｔｔｖｅｒｓｃｈｌｕｓｓｂｅｒｅｉｃｈ）３５を介して摩擦力結合（ｋｒａｆｔｓｃｈｌｕｅｓｓｉｇ：摩擦力による束縛）式に結合可能である。
【００４２】
ハウジング２６の卵形線状の底領域３６を形成するために、裁断片２５の第１の区分２９はその下側３７で真っ直ぐな折畳み線３８を介して第４の区分３９に接続されている。この第４の区分３９はほぼ、製作したいハウジング２６の前壁と後壁との最大の間隔に相当する間隔を置いて、折畳み線４０を有している。その結果、折畳み工程後、第４の区分３９の外側の縁部領域４１は第２の区分３２に支持される。折畳み線３８と折畳み線４０との間には、完全に折畳み線４２により画定される卵形線状の領域４３が設けられている。卵形線状の領域４３は、折畳み工程後に、ハウジングの前面および背面の下側の縁部に対して若干奥まった卵形線状の底領域３６が生じるように選択されている。
【００４３】
図６から見て取れるように、第２の区分３２は上側で、折畳み線４４により画定される卵形線状の領域４５により画定されている。卵形線状の領域４５は裁断片が折畳まれた状態でハウジングの天井領域を、天井領域４５が軽微に傾いて後壁３２，３３から前壁２９に向かって上り勾配を成す（図８）ように形成する。
【００４４】
第２、第３、第４の区分３２，３３，３９にはさらに、ランプソケット（図示せず）を部分的に通し案内するためのその都度１つの開口４６が設けられている。その結果、裁断片が折畳まれた状態で、ランプソケットは例えばランプ側でナット部分（図示せず）に螺合可能であり、３つの区分３２，３３，３９は面ファスナ領域３５のみならず、とりわけランプソケットによって重ね合わされて保持される。
【００４５】
展示対象物を迅速に交換することができるもしくは後壁の内面の湾曲を変更することができるようにするために、付加的なインサート部分が使用されることができる。インサート部分は相応の縁部側の支持領域を介して裁断片の第２の区分に支持されている。このインサート部分のための相応の裁断片は図９に見て取ることができ、符号５０が付与されている。その際、内面には符号５１を付与し、折畳み線５２〜５６を介して際立たされた支持領域には符号５７〜６１を付与した。このインサート部分５０も前記ランプソケットを介して、第１の裁断片２５の３つの区分３２，３３，３９に摩擦力結合式に結合されることができ、このためにやはり開口４６を有している。
【００４６】
最後に図１０にはさらに別の可変式の観覧装置１が示されている。この観覧装置１は元来フラットなカード形のジャケットの形状を有しているが、観覧者の手中で、前壁３および後壁４の接続線を押し寄せることにより、元来のフラットな形状（＝静止状態）から観覧状態にもたらされている。その際、前壁３も後壁４も湾曲させられており、前もって既に固定式のハウジングを有する観覧装置に関して説明したような効果を伴って、相俟って１つのハウジング２を形成する。図示の観覧状態を維持するために、矢印Ｋで象徴的に示されているような継続的な力の入力が必要である。入力の変更（強化／弱化）により、別の観覧状態が（より強いまたはより弱い湾曲の結果として）調節される。
【図面の簡単な説明】
【００４７】
【図１】本発明による観覧装置の第１の実施例の、図２にＩ−Ｉで示した断面線に沿った横断面図である。
【図２】図１に示した観覧装置の正面図である。
【図３】帯状の展示対象物のための巻取り装置を備えた本発明による観覧装置の第２の実施例の後壁の横断面図である。
【図４】本発明による観覧装置の、広告塔の形式で構成された第３の実施例の横断面図である。
【図５】ＬＣＤ画面が展示対象物を表示するために使用される本発明の第４の実施例の縦断面図である。
【図６】折畳まれていない状態の、本発明による観覧装置を製作するための第１の板紙裁断片を示す図である。
【図７】図５に示した板紙裁断片の折畳み後に得られる観覧装置の前面を示す図である。
【図８】図５に示した板紙裁断片の折畳み後に得られる観覧装置の背面を示す図である。
【図９】図５に示した裁断片から製作可能な観覧装置のための、インサート部分に該当する第２の裁断片を示す図である。
【図１０】観覧者の手中で観覧状態にある可変式の観覧装置の斜視図である。
【符号の説明】
【００４８】
１，１′  観覧装置
２  ハウジング
３，３′  前壁
４，４′  後壁
５，６  側方の縁部
７  観覧者
８，８′  目視開口
９，９′  内面
１０  展示対象物
１１  側方の縁部（展示対象物）
１２  視野
１３  光源
１４，１５  スプール
１６  展示対象物
１７  ガイドプレート
２０  観覧装置
２１  前壁（中空円筒）
２２  後壁
２３  目視開口
２４  展示対象物
２５  （第１の）裁断片（板紙裁断片）
２６  ハウジング
２７  観覧装置
２８  目視装置
２９  第１の区分（前壁）
３０，３１  横側
３０′，３１′  接続稜（側方の縁部）
３２  第２の区分（後壁）
３３  第３の区分（後壁）
３４  内面
３５  面ファスナ領域
３６  底領域
３７  下側
３８  折畳み線
３９  第４の区分
４０  折畳み線
４１  縁部領域
４２  折畳み線
４３  卵形線状の領域
４４  折畳み線
４５  卵形線状の領域（天井領域）
４６  開口
５０  （第２の）裁断片
５１  内面
５２〜５６  折畳み線
５７〜６１  支持領域
１００  外面
１０１  ＬＣＤ画面
１０２  電子回路
１０３  透明なカバー
Ｋ  矢印（力）
【図１】
2007513367.tif 000003
【図２】
2007513367.tif 000004
【図３】
2007513367.tif 000005
【図４】
2007513367.tif 000006
【図５】
2007513367.tif 000007
【図６】
2007513367.tif 000008
【図７】
2007513367.tif 000009
【図８】
2007513367.tif 000010
【図９】
2007513367.tif 000011
【図１０】
2007513367.tif 000012
【国際調査報告】
2007513367.tif 000013
2007513367.tif 000014
2007513367.tif 000015
2007513367.tif 000016
2007513367.tif 000017
2007513367.tif 000018